(57)【要約】【課題】  検定や提示の用途や合わせた最適な画像を出力する。【解決手段】  簡易原画像データ生成処理において、撮影により得られた原画像データが間引かれて簡易原画像データが生成される。簡易画像データ生成処理では、簡易原画像データに基づく簡易表示画像の表示用途に応じて原画像データの間引き率を可変させる。簡易表示画像が、利用者におよその仕上がり状態を確認させる提示対象画像として表示される場合には、扱うデータサイズを少なくし、スムーズな提示を行えるように間引き率を大きくする。簡易表示画像が、オペレーターが画像補正を行うための検定対象画像として表示される場合には、検定対象画像の品位を保ち、適正な検定を行えるように間引き率を小さくする。【選択図】        図５
2005286423.tif 000002
【特許請求の範囲】
【請求項１】
撮影により得られた画像の原画像データに画像補正を施し、表示用画像データに変換して出力する画像処理方法において、
前記原画像データを可変の間引き率にて間引くことで簡易原画像データを生成し、前記簡易原画像データに対し補正パラメータに基づき画像補正を行い、補正後の前記簡易原画像データに基づき生成された簡易表示用画像を再生表示することを特徴とする画像処理方法。
【請求項２】
前記簡易表示画像は、前記画像補正を行う際のほか、少なくとも画像プリント注文時に用いられ、前記間引き率は、前記簡易表示画像の表示用途に応じて定められることを特徴とする請求項１記載の画像処理方法。
【請求項３】
前記間引き率は、前記簡易表示画像を表示する装置の表示解像度に応じて定められることを特徴とする請求項１又は２記載の画像処理方法。
【請求項４】
前記間引き率は、前記簡易表示画像に基づき画像をプリントするプリンタ装置の出力解像度に応じて定められることを特徴とする請求項１〜３いずれか１つ記載の画像処理方法。
【請求項５】
前記間引き率は、前記画像補正を行う装置の処理能力に応じて定められることを特徴とする請求項１〜４いずれか１つ記載の画像処理方法。
【請求項６】
前記間引き率は、画像プリント注文用の装置の処理能力に応じて定められることを特徴とする請求項２〜５いずれか１つ記載の画像処理方法。
【請求項７】
前記簡易表示用画像に対して、前記補正パラメータの調整を可能とし、決定された前記補正パラメータに基づき前記原画像データに画像補正を施すことを特徴とする請求項１〜６いずれか１つ記載の画像処理方法。
【請求項８】
撮影により得られた原画像データを間引くことで簡易原画像データを生成する手段と、前記原画像データを間引く際の間引き率を可変させる手段と、前記簡易原画像データに対し補正パラメータに基づき画像補正を行う手段と、補正後の前記簡易原画像データに基づき生成された簡易表示用画像を再生表示する手段として、コンピュータ装置を機能させることを特徴とする画像処理プログラム。
【発明の詳細な説明】
【技術分野】
【０００１】
本発明は、例えばデジタルカメラ等の撮影装置から送られる原画像データ（ＣＣＤ−ＲＡＷデータ）に基づいてデジタル画像を再生表示しながら、各種の画像処理を行う画像処理方法及び画像処理プログラムに関する。
【背景技術】
【０００２】
デジタル画像の画質を向上させる上で、パーソナルコンピュータ（ＰＣ）等の情報処理端末を用いて、デジタル画像のカラーバランス、ホワイトバランスやトーンカーブといった各種の補正を行うことが有効である。例えば、写真スタジオなどでデジタルカメラを用いて撮影を行った場合では、デジタルカメラからプレゼンテーション用ＰＣや検定用ＰＣなどに画像データが送られる。そして、撮影終了後プレゼンテーション用ＰＣにて、撮影により得られた画像のおおよその仕上がり状態を示す画像の提示が行われる。写真スタジオの利用者は、提示された画像を観察して、必要な画像のプリント注文や、例えば画像の明るさや色味など変更する画像補正を依頼することができる。オペレータは、検定用ＰＣにて、各種の補正パラメータを変更する検定作業を行うことで、意図した仕上がりの画像を得ることができる。
【０００３】
検定や提示の際には、ホワイトバランス処理や露出補正等がなされていない原画像データ（ＲＡＷデータ）を出力可能なデジタルカメラを用いることにより、デジタルカメラ側で色情報を落とすことなく高品位の画像を表示できる。原画像データはデジタルカメラの撮像デバイスから出力されたままのデータであり、モニタに表示するために、ホワイトバランス補正や露出補正のパラメータ（以下、現像パラメータと称する）に基づいて画像補正を行い、例えばTIFF(Tagged Image File Format)形式の表示用画像データに変換する（以下、現像処理と称する）必要がある。
【０００４】
しかし、原画像データは、各色毎に例えば１２ビットあるいは１６ビットの階調値で表される複数の画素データから構成されるため、データサイズが非常に大きく、現像処理に長時間を要する。そして、検定作業においては、各種現像パラメータが変更される毎に、変更後のパラメータにて再び現像処理が行われるため、原画像データのサイズが大きいと作業に要する時間が非常に長くなるという問題があった。同様にして、利用者に画像を提示する際にも、現像処理に時間がかかり、スムーズな提示を行えないという問題がある。
【発明の開示】
【発明が解決しようとする課題】
【０００５】
この問題に対処するために、例えば、JPEG(Joint Photographic Coding Expert Group)形式で圧縮したものを検定や提示の際に用いたりするといったことが考えられる。しかし、JPEG形式の画像データは、原画像データを現像処理して得られる表示用画像データと色空間やビット数が異なるため、表示用画像と色合いが異なってしまうといった問題がある。
【０００６】
本発明は上記事情を鑑みてなされたものであり、検定や提示の際に要する時間を短縮することができるとともに、検定や提示などの用途や装置に合わせた最適な画像を出力できる画像処理方法及び画像処理プログラムを提供することを目的とする。
【課題を解決するための手段】
【０００７】
上記目的を達成するために、本発明の画像処理方法は、原画像データを可変の間引き率にて間引くことで簡易原画像データを生成し、簡易原画像データに対し補正パラメータに基づき画像補正を行い、補正後の簡易原画像データに基づき生成された簡易表示用画像を再生表示することを特徴としている。簡易表示用画像に対して、前記補正パラメータの調整を可能とし、決定された前記補正パラメータに基づき前記原画像データに画像補正を施すようにしてもよい。
【０００８】
また、本発明の画像処理プログラムは、撮影により得られた原画像データを間引くことで簡易原画像データを生成する手段と、前記原画像データを間引く際の間引き率を可変させる手段と、前記簡易原画像データに対し補正パラメータに基づき画像補正を行う手段と、補正後の前記簡易原画像データに基づき生成された簡易表示用画像を再生表示して前記補正パラメータの調整を可能とする手段と、決定された前記補正パラメータに基づき前記原画像データに画像補正を施す手段ととして、コンピュータ装置を機能させることを特徴としている。
【０００９】
以下の要因に基づいて間引き率を決定することが好ましい。
（１）画像補正、画像提示、プリントなど簡易表示画像の使用用途。
（２）簡易表示画像を表示する装置のモニタサイズ。
（３）簡易表示画像がプリント出力されるプリンタの解像度。
（４）画像補正を行う装置の処理能力。
（５）画像提示を行う装置の処理能力。
（６）上記（１）〜（５）のうち２つ以上の組み合わせ。
【発明の効果】
【００１０】
本発明によれば、原画像データを間引いた、データサイズの小さな簡易原画像データを用いて、検定や提示を行うようにしたので、検定や提示の作業に要する時間を短縮することができる。また、検定や提示などの用途や、検定や提示を行う際に画像を表示したり画像処理を行う装置の能力、また、画像が出力されるプリンタの解像度に応じて、間引き率を可変させるようにしたので、処理に要する時間を効果的に短縮できるだけでなく、用途や装置の能力に応じた最適な画像を出力することができる。
【発明を実施するための最良の形態】
【００１１】
図１は、デジタルカメラ１と画像検定用ＰＣ１３とプレゼンテーション用ＰＣ２１とプリンタ２３とで構成される撮影システムのブロック図である。画像検定用ＰＣ１３、プレゼンテーション用ＰＣ２１としては、市販タイプのパーソナルコンピュータを用いることができる。また、プリンタ２３としては、公知のインクジェットプリンタやレーザープリンタなど各種プリンタを用いることができる。
【００１２】
プレゼンテーション用ＰＣ２１は、写真スタジオの顧客（利用者）に、撮影で得られたデジタル画像のおよその仕上がり状態をモニタ２２により確認させ、プリントの注文を受け付けるために用いられる。一方、画像検定用ＰＣ１３は、写真スタジオのスタッフ（オペレータ）が、撮影で得られたデジタル画像に各種補正処理を施したり、補正処理後の画像のプリントを行うために用いられる。画像補正用ＰＣ１３には、画像処理プログラム及びプリンタ２３を駆動させるプリンタドライバがインストールされている。プリンタ２３は、画像検定用ＰＣ１３によって駆動制御され、画像検定用ＰＣ１３から送信される画像データに基づく画像を、例えば写真用記録紙などに印画する。
【００１３】
デジタルカメラ１と画像検定用ＰＣ１３、また、画像検定用ＰＣ１３とプレゼンテーション用ＰＣ２１、及び、プリンタ２３とは、通信ケーブル２を介して互いに接続され、撮影制御データや画像データを送受信することができる。通信ケーブル２は、例えばＵＳＢ(Universal Serial Bus)やＩＥＥＥ１３９４に準拠したものが用いられる。通信ケーブル２の代わりに、無線通信手段を用いてデータの接受を行ってもよい。
【００１４】
デジタルカメラ１の各部は、データバス３を介して互いに接続され、ＣＰＵ４によってその動作が総括的に制御される。ＲＯＭ５には、デジタルカメラ１を動作するためのプログラムが記録されており、デジタルカメラ１の起動時にＲＡＭ６にロードされる。撮像部７には、周知の撮影レンズやＣＣＤ等が備えられ、被写体の光学像を光電変換してデジタルの画像データを生成する。絞りやシャッタ速度などの撮影条件は、操作部８に設けられた各種の設定ボタンを操作することで設定される。画像検定用ＰＣ１３において撮影条件を決定し、通信ケーブル２を介して設定情報をデジタルカメラ１に送ることで、撮影条件を設定しても良い。さらに、撮影制御用の別のＰＣをデジタルカメラ１に接続することもできる。
【００１５】
撮像部７から出力された画像データは、ＲＡＭ６にバッファされる。この画像データは、ホワイトバランス処理等の画像補正がなされていない原画像データ（ＲＡＷデータ）であり、例えば各色毎に１６ビットで表される階調値を持った4256×2848画素分の画素データから構成される。原画像データは、入出力Ｉ／Ｆ９を介して画像検定用ＰＣ１３に送られる。また、ＬＣＤ１０には、撮影モード時には被写体像が連続的に表示され、再生モード時には、記録メディア１１内の画像が再生表示される。なお、本実施形態では、入出力Ｉ／Ｆ９を介して原画像データを画像検定用ＰＣ１３に直接送信しているが、原画像データを記録メディア１１に記録しておき、この記録メディア１１を画像検定用ＰＣ１３にセットすることで、原画像データを送るようにしても良い。
【００１６】
画像検定用ＰＣ１３は、デジタルカメラ１から送られた原画像データに基づいて画像をモニタ１４に再生表示するとともに、キーボード１５やマウス１６などの入力デバイスからの操作信号に応答して種々の画像補正を行う。画像検定用ＰＣ１３の各部は、データバス１７を介して互いに接続され、ＣＰＵ１８によってその動作が総括的に制御される。デジタルカメラ１から送られた原画像データは、入出力Ｉ／Ｆ１９、データバス１７を介してハードディスク等の外部記憶装置２０に記録される。キーボード１５やマウス１６などの入力デバイスは、デジタルカメラ１の撮影条件を設定する際、及び、後述の検定や提示を行う際に操作される。
【００１７】
画像処理プログラムは、ＣＤ−ＲＯＭやＤＶＤ−ＲＯＭ等の記録媒体やインターネット等を介して画像検定用ＰＣ１３の外部記憶装置２０にインストールされる。キーボード１５やマウス１６を操作して画像処理プログラムを実行すると、画像処理プログラムがＲＡＭ２５に読み出されて実行される。
【００１８】
画像処理プログラムは、プレゼンテーションモードと、検定モードとを備えている。プレゼンテーションモードにおいては、図２に示す提示画面３０が、画像検定用ＰＣ１３のモニタ１４、及び、プレゼンテーション用ＰＣ２１のモニタ２２に表示される。検定モードにおいては、図３、または、図４に示す検定画面５０が、画像検定用ＰＣ１３のモニタ１４に表示される。
【００１９】
各画面３０、５０において、キーボード１５を操作したり、マウス１６を操作してカーソル４７を移動させ、クリック操作やドラッグ操作を行うことで、プレゼンテーションモードにおいては、撮影された画像のおよその仕上がり状態を利用者に確認してもらう提示作業の後、プリント注文の受け付けが行われ、検定モードにおいては、オペレータが撮影された画像を補正する検定作業が行われる。各モード間の切り替えは、各画面３０，５０の右下に表示される「モード切り替え」のタグ８８を選択することで行われる。
【００２０】
プレゼンテーションモードが選択された場合について説明する。提示画面３０（図２参照）には、提示対象画像３１を表示する提示対象画像表示領域３２，複数のサムネイル画像３３ａ〜３３ｉを表示するサムネイル画像表示領域３３が設けられている。また、提示対象画像表示領域３２の上側には、提示対象画像３１のタイトル（ファイル名）が表示されたタイトルバー３６が表示される。
【００２１】
提示対象画像３１、及び、サムネイル画像３３ａ〜３３ｉは、後述する簡易原画像データ生成処理（図５参照）により、原画像データを間引いて生成される簡易原画像データに基づくものである。この簡易原画像データは、画像処理プログラムで予め定められた初期パラメータにて画像補正が施されるとともに、例えば１６ビットの階調値を持ったTiff形式に変換された簡易表示用画像データとしてモニタ１４、２２に出力される。そして、提示対象画像３１は提示対象画像表示領域３２に、サムネイル画像３３ａ〜３３ｉはサムネイル画像表示領域３３にそれぞれ表示される。以下、簡易原画像データに画像補正を行い、簡易表示用画像データとして出力する処理を「仮現像処理」と称する。また、原画像データに画像補正を行い、表示用画像データとして出力する処理を「本現像処理」と称する。
【００２２】
提示対象画像３１に対応するサムネイル画像３３ｃの周囲には、選択カーソル３７がハイライト表示され、提示対象画像３１とサムネイル画像３３ｃとが対応付けられる。サムネイル画像表示領域３３の右側には、上下方向にスクロール移動可能なスクロールバー３８が設けられる。サムネイル画像が９コマ以上ある場合には、スクロールバー３８を上下にスライドすることにより、９コマ目以降のサムネイル画像を表示することができる。なお、図２に示す例では、９コマ分のサムネイル画像が表示されているが、同時に表示するコマ数は適宜増減することができる。
【００２３】
各サムネイル画像３３ａ〜３３ｉの下方には、プリント注文枚数を入力する入力ボックス４０が表示される。プリント注文枚数の入力は、入力ボックス４０に数値を直接入力する、あるいは増減ボタン４２の上下をクリックことによって行うことができる。所望する画像のプリント枚数を入力した後、サムネイル画像表示領域３３の下方に設けられた、「プリント枚数記憶」のタブ４４が選択されると、画像処理プログラムは、入力ボックス４０に入力されたプリント枚数と、これに対応する原画像データとを関連付けして記憶する。
【００２４】
続いて、検定モードが選択された場合について説明する。検定画面５０（図３、図４参照）には、検定対象画像５１を表示する検定対象画像表示領域５２，複数のサムネイル画像５３ａ〜５３ｄを並べて表示するサムネイル画像表示領域５３，及びパラメータ調整領域５４が設けられている。また、検定対象画像表示領域５２の上側には、検定対象画像５１のタイトル（ファイル名）が表示されたタイトルバー５６が表示される。
【００２５】
検定対象画像５１、及び、サムネイル画像５３ａ〜５３ｄもまた、提示対象画像３１やサムネイル画像３３ａ〜３３ｉ（図２参照）と同様に、後述する簡易原画像データ生成処理（図５参照）により、原画像データを間引いて生成される簡易原画像データに基づくものである。この簡易原画像データは、仮現像処理されて簡易表示用画像データとしてモニタ１４に出力される。そして、検定対象画像５１は検定対象画像表示領域５２に、サムネイル画像５３ａ〜５３ｄはサムネイル画像表示領域５３にそれぞれ表示される。
【００２６】
検定対象画像５１に対応するサムネイル画像５３ｃの周囲には、選択カーソル６４がハイライト表示され、検定対象画像５１とサムネイル画像５３ｃとが対応付けられる。サムネイル画像表示領域５３の右側には、上下方向にスクロール移動可能なスクロールバー６５が設けられる。サムネイル画像が５コマ以上ある場合には、スクロールバー６５を上下にスライドすることにより、５コマ目以降のサムネイル画像を表示することができる。なお、図４、及び、図５に示す例では、４コマ分のサムネイル画像が表示されているが、同時に表示するコマ数は適宜増減することができる。
【００２７】
パラメータ調整領域５４には、現像処理時のパラメータ（現像パラメータ）を変更する「現像条件」と、画像調整時のパラメータ（調整パラメータ）を変更する「画像調整」の２タイプの変更画面が設けられ、上部に表示される切り替えタブ７０を選択することで、各々の変更画面に切り替えられる。「現像条件変更」のタブが選択されると、図３に示す現像条件変更画面７１が表示される。現像条件変更画面７１には、例えば、トーンカーブを補正するトーンカーブ補正部７２，ホワイトバランスを補正するホワイトバランス補正部７３，露出補正ボックス７４及び増感補正ボックス７５が表示され、マウス１６を操作してカーソル４７を調整を行うべき箇所に移動させ、クリック操作やドラッグ操作を行うことで、各現像パラメータを変更することができる。現像パラメータが変更されると、変更後の現像パラメータに基づき仮現像処理が行われ、新たに生成された簡易表示画像データに基づく簡易表示用画像が検定対象画像５１として更新表示される。
【００２８】
「画像調整」のタブが選択されると、図４に示す画像調整画面８０が表示される。画像調整画面８０においては、カラーバランスやブライトネス、コントラストといった調整パラメータを変更することができる。各々の調整パラメータの値は、対応して表示される入力ボックス８１に数値を直接入力する、あるいはインジケータ８２を図中左右に移動することで、変更することが可能である。各々の調整パラメータが変更されると、検定対象画像５１に対応する簡易表示用画像に対して画像補正が施され、補正後の画像が検定対象画像表示領域５２に更新表示される。
【００２９】
なお、現像パラメータとしては、図３に示すトーンカーブやホワイトバランスのパラメータのみに限定されることはなく、例えばシャープネス補正のパラメータも含めても良い。また、調整パラメータとしては、図４に示したものの他に、例えばトリミング補正のパラメータも含めることができる。さらに、現像パラメータ及び調整パラメータの組み合わせは、本実施形態に列挙されたものに限定されることはなく、その組み合わせは適宜定めることができる。例えば、カラーバランス補正用のパラメータを、現像パラメータとして含めても良い。
【００３０】
検定作業が終了した後、パラメータ調整領域５４の下方に設けられた「プリント実行」のタブ１００が選択されると、プリント処理が実行される。プリント処理においては、プリント注文された画像の原画像データに対して、検定モードにて決定された変更済みの現像パラメータ、及び、調整パラメータを用いた本現像処理が行われ、生成された表示用画像データが入出力Ｉ／Ｆ１９を介してプリンタ２３に出力される。プリンタ２３は、入力された表示用画像データに基づく画像の印画を行う。
【００３１】
このように、検定や提示の際に、原画像データを間引くことによって生成されたデータサイズの小さな簡易画像データを用いることによって、検定や提示の作業に要する時間を短縮することができる。しかし、検定は、写真の雰囲気や見栄えを決定する作業であり、原画像データを必要以上に大きく間引いてしまうと、原画像データのイメージを把握しづらくなり的確な画像補正を行えなくなる恐れがある。一方、提示は、プリント注文時におおよその仕上がり状態を確認するための作業であり、原画像データを大きく間引いた簡易画像データを用いてのスムーズな進行が求められる。このため、本実施形態においては、原画像データを間引く際の間引き率を簡易表示用画像の用途に応じて可変させるようにしている。
【００３２】
以下、原画像データを間引いて、簡易原画像データを生成する簡易画像データ生成処理について、図５に示すフローチャートをもとに説明を行う。画像処理プログラムは、実行に伴って、簡易原画像データに基づく簡易表示用画像が、検定対象画像、提示対象画像、サムネイル画像のうちいずれとして表示されるものであるかを判定する、用途判定を行う（Ｓ１）。
【００３３】
図６に示すように、画像処理プログラムは、簡易表示用画像の用途と間引き率とが対応付けされたデーターテーブル１１６を備えており、このデータテーブル１１６に基づいて間引き率を決定する。データテーブル１１６には、間引き率として、原画像データを構成する縦方向の画素及び横方向の画素数（本実施例では、縦２８４８画素、横４２５６画素）に対して、簡易原画像データを構成する縦方向の画素及び横方向の画素数がそれぞれ約１／３（本実施例では、縦９４６画素、横１４１９画素）になる間引き率小と、簡易原画像データを構成する縦方向の画素及び横方向の画素数がそれぞれ約１／５（本実施例では、縦５６４画素、横８４６画素）になる間引き率中と、簡易原画像データを構成する縦方向の画素及び横方向の画素数がそれぞれ約１／７（本実施例では、縦４０２画素、横６０３画素）になる間引き率大の３つの間引き率が設定されている。
【００３４】
用途判定の結果、検定対象画像５１として表示されるものである場合には間引き率小が選択される。同様に、提示対象画像３１として表示されるものである場合には間引き率中が選択され、サムネイル画像３３ａ〜３３ｉ、５３ａ〜５３ｄとして表示されるものである場合には間引き率大が選択される（Ｓ２）。そして、選択された間引き率にて原画像データを間引くことによって、用途に応じたデータサイズの簡易原画像データが生成される（Ｓ３）。なお、本実施形態では３つの用途に対応する３つの間引き率を設定する例で説明をしたが、用途の数や種類、及び、対応する間引き率の設定は、適宜変更することができる。
【００３５】
このようにして生成されたデータサイズの異なる各簡易画像データを、画像検定用ＰＣにて仮現像処理を行ったところ、検定対象画像は約５秒で表示され、提示対象画像は約２．５秒で表示され、サムネイル画像は約１．５秒で表示された。一方、原画像データを本現像処理した画像の表示には約２０秒かかった。なお、このとき画像検定用ＰＣのＣＰＵのクロック周波数は２．４ＧＨＺであり、仮現像処理、及び、本現像処理では、１６ビットの階調値を持ったTiff形式に変換してモニタ出力した。
【００３６】
図７に示すフローチャートをもとに、提示と検定の手順について説明をする。画像検定用ＰＣ１３あるいは外部接続されたＰＣを操作して、デジタルカメラ１の撮影条件を設定する。設定された撮影条件に基づき、デジタルカメラ１で撮影が行われ、原画像データが生成される。原画像データは、通信ケーブル２を介してデジタルカメラ１から画像検定用ＰＣ１３に送られる。
【００３７】
画像検定用ＰＣ１３では、提示対象画像３１及びサムネイル画像３３ａ〜３３ｉ（図２参照）を参照しながらプリント注文を受け付けるプレゼンテーションモードと、検定画面５０に表示された検定対象画像５１及びサムネイル画像５３ａ〜５３ｄ（図３，図４参照）を参照しながら撮影された画像の補正を行う検定モードのいずれかを選択することができる（Ｓ１０）。
【００３８】
モードの選択がなされると、原画像データを間引いた簡易原画像データを生成する、簡易原画像データ生成処理（図５参照）が行われる（Ｓ１１）。簡易原画像データ生成処理では、簡易画像データに基づく簡易表示画像の表示用途に応じて間引き率が決定される。そして、原画像データを小さく間引くことで、検定対象画像５１として表示される簡易原画像データが生成される。一方、原画像データを大きく間引くことで、提示対象画像３１として表示される簡易原画像データが生成される。また、原画像データをさらに大きく間引くことで、サムネイル画像３３ａ〜３３ｉ、５３ａ〜５３ｄとして表示される簡易原画像データが生成される。
【００３９】
プレゼンテーションモードにおいて画像検定用ＰＣ１３は、簡易画像データに対して初期ラメータにて仮現像処理を行う。この仮現像処理により生成された簡易表示用画像は、提示対象画像３１、及び、サムネイル画像３３ａ〜３３ｉとして提示画面３０に表示される（Ｓ１２）。利用者は撮影によって得られた画像のおおよその仕上がり状態を提示画面３０を観察することによって確認し、所望の画像のプリント枚数を入力してプリント注文を行うことができる（Ｓ１３）。また、利用者は、仕上がり状態に不満を感じた際には、例えばもう少し明るい画像を希望するといったように、オペレーターに対して画像補正を依頼することができる。
【００４０】
オペレーターは、検定モードにおいて撮影された画像を補正することができる。検定モードにおいて画像検定用ＰＣ１３は、簡易原画像データに対して初期現像パラメータにて仮現像処理を行い、生成された簡易表示用画像を検定対象画像５１として検定対象画像表示領域５２内に表示する（Ｓ１４）。オペレータは検定対象画像５１を観察して、トーンカーブや色温度といった現像パラメータを変更する（Ｓ１５）。現像パラメータが変更されると、簡易原画像データに対して変更後の現像パラメータにて仮現像処理が行われ、検定対象画像５１が更新表示される。そして、オペレータの所望する仕上がりの画像が得られたときに、現像条件の補正が終了し、現像パラメータが決定される（Ｓ１６）。
【００４１】
現像パラメータの確定後、検定画面５０には、確定された現像パラメータにて仮現像処理がなされ、初期の調整パラメータにてカラーバランスやコントラスト、トリミング等の処理がなされた簡易表示用画像が、検定対象画像５１として表示される（Ｓ１７）。オペレータはこの検定対象画像５１を観察して、調整パラメータを変更する（Ｓ１８）。調整パラメータが変更されると、簡易原画像データから得られる簡易表示用画像に対して色調整やトリミングなどの画像調整が行われ、検定対象画像５１が更新表示される。これを繰り返し、オペレータの所望する仕上がりの画像が得られたときに、画像調整が終了し、調整パラメータが決定される（Ｓ１９）。
【００４２】
検定が終了した後、「プリント実行」のタブ１００を選択することで（Ｓ２０）、プリント注文された画像の原画像データに対して、変更済みパラメータを用いた本現像処理が行われ、表示用画像データが生成される（Ｓ２１）。生成された表示用画像データは、入出力Ｉ／Ｆ１９を介してプリンタ２３に出力され印画が行われる（Ｓ２２）。
【００４３】
このように、原画像データを間引いて生成された簡易原画像データに基づく簡易表示画像を用いて、検定や提示を行うようにしたので、扱うデータサイズを小さくして、検定や提示に要する時間を短縮することができる。また、簡易表示画像の用途に応じて、原画像データの間引き率を可変させ、検定対象画として表示される際は間引き率を小さくし、提示用画像として表示される際は間引き率を大きくし、サムネイル画像として表示される際は間引き率をさらに大きくした。これにより、検定作業の際は、検定に必要な画像の品位を保ち、適正な検定を行うことができる。また、提示の際は、提示用画像を速やかに表示して、スムーズな提示を行うことができる。さらに、サムネイル画像は最も大きな間引き率によって原画像データを間引くことによって生成されるので、検定や提示をスムーズに行うことができる。
【００４４】
なお、上記実施形態では、画像検定用ＰＣ側で簡易原画像データを生成しているが、デジタルカメラやプレゼンテーション用ＰＣにて原画像データを間引いて簡易原画像データを生成してもよい。また、簡易原画像データを生成するタイミングは、自由に設定することができる。例えば、原画像データの生成直後に簡易原画像データを生成するといったことも考えられる。この場合、検定や提示を開始する前に、予め原画像データを複数の異なった間引き率にて間引いたデータサイズの異なる複数種類の簡易原画像データを用意しておく。そして、検定や提示の際には、用意された簡易画像データの中から用途に適したデータサイズの簡易画像データを用いるようにすればよい。こうすることで、検定や提示をよりスムーズに行える。
【００４５】
また、上記実施形態では、プリンタは原画像データを本現像処理することによって得られる画像を印画する例で説明をしたが、原画像データの大きさに対してプリンタの解像度が低いと、記録紙中のプリント予定エリア内に画像が収まらない場合が考えられる。このような場合には、簡易原画像データを仮現像処理することによって得られる画像をプリンタによって印画させるようにしてもよい。
【００４６】
この場合、例えば図８に示すように、簡易原画像データ生成処理において、検定用ＰＣにインストールされているプリンタドライバにアクセスしてプリンタの解像度を調べる（Ｓ３１）。記録紙中のプリント予定エリア内に画像が過不足なく収まるように、プリンタの解像度に応じた間引き率を決定する（Ｓ３２）。そして、決定された間引き率にて原画像データを間引くことによって、簡易原画像データを生成する（Ｓ３３）。
【００４７】
同様に、原画像データの大きさに対して、検定対象画像や提示対象画像など簡易表示画像を表示するモニタの解像度が低いと、モニタ中の表示予定エリア内に簡易表示画像が収まらない場合が考えられる。この場合、例えば図９に示すように、簡易原画像データ生成処理において、検定用ＰＣのＯＳ（オペレーティングシステム）や検定用ＰＣにインストールされているモニタドライバにアクセスしてモニタの解像度を調べる（Ｓ４１）。モニタ中の表示予定エリア内に簡易表示画像が過不足なく収まるように、モニタの解像度に応じた間引き率を決定する（Ｓ４２）。そして、決定された間引き率にて原画像データを間引くことによって、簡易原画像データを生成する（Ｓ４３）。
【００４８】
さらに、原画像データの大きさに対して、検定や提示を行う装置の画像処理能力が低いにもかかわらず、簡易原画像データを生成する際の間引き率が小さいと検定や提示がスムーズに行えず、また、検定や提示を行う装置の画像処理能力が高いにもかかわらず、簡易原画像データを生成する際の間引き率が大きいと検定や提示を行う装置の画像処理能力を活用しきれない場合が考えられる。
【００４９】
この場合、例えば図１０に示すように、簡易原画像データ生成処理において、検定や提示を行う装置のＯＳ（オペレーティングシステム）にアクセスし、画像処理能力として例えばＣＰＵのクロック周波数を調べる（Ｓ５１）。画像処理能力が高い場合には間引き率を小さくするように、また、画像処理能力が低い場合には間引き率を大きくするように、画像処理能力に応じた間引き率を決定する（Ｓ５２）。そして、決定された間引き率にて原画像データを間引くことによって、簡易原画像データを生成する（Ｓ５３）。
【００５０】
このように、本発明は、用途、プリンタやモニタの解像度、検定や提示を行う装置の画像処理能力などの各種要因に応じて、簡易画像データを生成する際の間引き率を可変させることができる。さらに、これ以外の要因に基づいて間引き率を可変させることも可能である。また、複数の要因を総合的に判断して、間引き率を可変させるようにしてもよい。この場合、例えば例えば図１１に示すように、簡易原画像データ生成処理において、簡易表示画像の用途に応じた基本間引き率を決定する（Ｓ６１）。続いて、検定や提示を行う装置のモニタサイズや画像処理能力に応じた補正係数を算出する（Ｓ６２）。基本間引き率と補正係数とをかけあわせることによって最終的な間引き率を決定する（Ｓ６３）。そして、決定された間引き率にて原画像データを間引くことによって、簡易原画像データを生成する（Ｓ６４）。
【図面の簡単な説明】
【００５１】
【図１】デジタルカメラと画像検定用ＰＣの構成を概略的に示すブロック図である。
【図２】提示画面を示す説明図である。
【図３】検定画面を示す説明図である。
【図４】検定画面の別の例を示す説明図である。
【図５】簡易原画像データ生成処理の手順を示すフローチャートである。
【図６】簡易画像データの用途と間引き率との関係を示す説明図である。
【図７】簡易原画像データを用いた検定及び提示の手順を示すフローチャートである。
【図８】プリンタの解像度に応じて間引き率を決定する手順を示すフローチャートである。
【図９】モニタの解像度に応じて間引き率を決定する手順を示すフローチャートである。
【図１０】検定や提示を行う装置の画像処理能力に応じて間引き率を決定する手順を示すフローチャートである。
【図１１】複数の要因を総合的に判断して間引き率を決定する手順を示すフローチャートである。
【符号の説明】
【００５２】
１  デジタルカメラ
１３  画像検定用ＰＣ
１４、２２  モニタ
２１  プレゼンテーション用ＰＣ
２３  プリンタ
３０  提示画面
３１  提示対象画像
３３ａ〜３３ｉ、５３ａ〜５３ｄ  サムネイル画像
５０  検定画面
５１  検定対象画像
１１６  データテーブル
【図１】
2005286423.tif 000003
【図２】
2005286423.tif 000004
【図３】
2005286423.tif 000005
【図４】
2005286423.tif 000006
【図５】
2005286423.tif 000007
【図６】
2005286423.tif 000008
【図７】
2005286423.tif 000009
【図８】
2005286423.tif 000010
【図９】
2005286423.tif 000011
【図１０】
2005286423.tif 000012
【図１１】
2005286423.tif 000013